(57)【要約】【課題】灰を用いることなく線香を立てることができ、燃えかすの廃棄処理の頻度を可及的に少なくすることができる線香立てを提供する。【解決手段】線香を立てた状態で支持するための支持用貫通孔２ａを備える香座２と、一部に線香を落下させる落下裁断用貫通孔が形成され香座２の下面側に配されて面方向に回動可能に支持された平板状の部材であって、支持用貫通孔２ａに挿入された線香の下端を支持する一方、回動させることで落下裁断用貫通孔から線香が落下すると共に落下した線香を落下裁断用貫通孔の縁部で薙いで裁断するように構成された裁断プレート３と、裁断プレート３の下面側に設けられて線香を薙いで裁断する際に線香の下端を支持する平板状の支持部４ａを備える支持部材４とを椀状の炉体５内に配設して構成する。【選択図】図３
2009279271.tif 000002
【特許請求の範囲】
【請求項１】
線香を立てた状態で支持するための支持用貫通孔を備える香座と、
一部に線香を落下させる落下裁断用貫通孔が形成され前記香座の下面側に配されて面方向に回動可能に支持された平板状の部材であって、前記支持用貫通孔に挿入された線香の下端を支持する一方、回動させることで前記落下裁断用貫通孔から線香が落下すると共に落下した線香を当該落下裁断用貫通孔の縁部で薙いで裁断するように構成された裁断プレートと、
前記裁断プレートの下面側に設けられて線香を薙いで裁断する際に線香の下端を支持する平板状の支持部を備える支持部材とを椀状の炉体内に配設して構成したことを特徴とする線香立て。
【請求項２】
請求項１に記載する線香立てにおいて、
前記香座の下面と前記支持部材の前記支持部との距離が、前記香座の上面と前記裁断プレートとの距離よりも短く設けられていることを特徴とする線香立て。
【請求項３】
請求項１又は２に記載する線香立てにおいて、
前記支持部材の前記支持部の上面が、中央部から外側に向かって下り傾斜して設けられていることを特徴とする線香立て。
【請求項４】
請求項１乃至請求項３の何れか一つに記載する線香立てにおいて、
前記支持部材の前記支持部が、前記炉体内において回動可能に設けられていることを特徴とする線香立て。
【請求項５】
請求項１乃至請求項４の何れか一つに記載する線香立てにおいて、
前記支持用貫通孔が複数設けられていると共に、各支持用貫通孔のそれぞれに対応して前記落下裁断用貫通孔が複数設けられ、
且つ各落下裁断用貫通孔及び各支持用貫通孔は、前記裁断プレートを一方向に回動させた際、それぞれ異なるタイミングで重なるように設けられていることを特徴とする線香立て。
【発明の詳細な説明】
【技術分野】
【０００１】
本発明は線香立てに関し、特に家庭内にある仏壇に置く線香立てとして有用なものである。
【背景技術】
【０００２】
家庭内の仏壇に置く線香立ては、通常椀状の容器に灰を入れておき、この灰に線香の下部を挿入することで線香を立てるようになっている。この場合、前記灰中に挿入した線香の燃え残り部である燃えかすが前記灰中に残り、日時の経過とともに堆積する。ことに朝夕に焼香に勤める等の家庭においては、これが月余にして線香を立てるのに好適な場所であるその中央帯には線香を立てることができなくなる。これは、この部分に線香の燃えかす、この堆積性としての集中化が発生しているからである。そこで、線香立ての中央帯を避けて周辺部に立てた場合は線香自体の灰こぼれを生起してどうにも収拾が付かないことにつながってしまう。この場合において、無理しての不適箇所への線香の立て込みは、折れ、倒れ等を発生し、周辺の畳を汚す等、不測の事態を生起する可能性がある。
【０００３】
そこで、定期的に前記灰中から線香の燃えかすを除去してやる必要が生じる。具体的には燃えかすが混入している線香立ての灰をふるいにかけて灰から燃えかすを分離し、その後、再度灰のみを線香立てに戻している。かかる作業は面倒であるばかりでなく多大な時間も要する。これが承知のことでの億劫さを生起し、ここに堂々巡りの循環性、この繰り返しとなっていくものである。
【０００４】
そこで最近、灰を用いることなく線香を立てることができるようにした線香立ても提案されているが、何れも線香の燃えかすの処理を考慮したものではない（例えば、特許文献１、特許文献２、特許文献３等参照）。すなわち、線香を立てるための灰は存在しないが、線香を燃やした後の燃えかすはそのままの形で残るため、ここにしばしば燃えかす廃棄処理の不適格性を見るものである。
【０００５】
【特許文献１】登録実用新案第３０００７４１号公報
【特許文献２】特開２００１−２５８７１８号公報
【特許文献３】実開昭６２−１８２６８４号公報
【発明の開示】
【発明が解決しようとする課題】
【０００６】
本発明は、上記従来技術に鑑み、灰を用いることなく線香を立てることができ、燃えかすの廃棄処理の頻度を可及的に少なくすることができる線香立てを提供することを目的とする。
【課題を解決するための手段】
【０００７】
上記目的を達成する本発明の第１の態様は、線香を立てた状態で支持するための支持用貫通孔を備える香座と、一部に線香を落下させる落下裁断用貫通孔が形成され前記香座の下面側に配されて面方向に回動可能に支持された平板状の部材であって、前記支持用貫通孔に挿入された線香の下端を支持する一方、回動させることで前記落下裁断用貫通孔から線香が落下すると共に落下した線香を当該落下裁断用貫通孔の縁部で薙いで裁断するように構成された裁断プレートと、前記裁断プレートの下面側に設けられて線香を薙いで裁断する際に線香の下端を支持する平板状の支持部を備える支持部材とを椀状の炉体内に配設して構成したことを特徴とする線香立てにある。
【０００８】
本発明の第２の態様は、上記第１の態様に記載する線香立てにおいて、前記香座の下面と前記支持部材の前記支持部との距離が、前記香座の上面と前記裁断プレートとの距離よりも短く設けられていることを特徴とする線香立てにある。
【０００９】
本発明の第３の態様は、上記第１又は第２の態様に記載する線香立てにおいて、前記支持部材の前記支持部の上面が、中央部から外側に向かって下り傾斜して設けられていることを特徴とする線香立てにある。
【００１０】
本発明の第４の態様は、上記第１乃至第３の態様の何れか一つに記載する線香立てにおいて、前記支持部材の前記支持部が、前記炉体内において回動可能に設けられていることを特徴とする線香立てにある。
【００１１】
本発明の第５の態様は、上記第１乃至第４の態様の何れか一つに記載する線香立てにおいて、前記支持用貫通孔が複数設けられていると共に、各支持用貫通孔のそれぞれに対応して前記落下裁断用貫通孔が複数設けられ、且つ各落下裁断用貫通孔及び各支持用貫通孔は、前記裁断プレートを一方向に回動させた際、それぞれ異なるタイミングで重なるように設けられていることを特徴とする線香立てにある。
【発明の効果】
【００１２】
上記構成を有する本発明の線香立てによれば、支持用貫通孔を備える香座により、灰を用いることなく線香を立てることができる。そればかりでなく、支持部材と裁断プレートとにより、炉体の形状や大きさに依らず、所望する長さに線香の燃えかすを裁断することができる。この結果、線香の燃えかすは、裁断された細かい状態で炉体内に堆積される。したがって、本発明の線香立てによれば、炉体内の空間を有効に利用することができ、灰及び線香の燃えかすを廃棄する頻度を可及的に少なくすることもできる。
【発明を実施するための最良の形態】
【００１３】
以下、本発明の実施の形態を図面に基づき詳細に説明する。
【００１４】
図１は本実施形態に係る線香立ての正面外観図であり、図２は本実施形態に係る線香立ての平面図である。また、図３は図２のＡ−Ａ´線での断面図、図４は図２のＢ−Ｂ´線での断面図である。また、図５は本実施形態に係る線香立ての裁断プレートの平面図である。
【００１５】
図示するように、本実施形態に係る線香立て１は、線香を立てた状態で支持する支持用貫通孔２ａを備える香座２と、香座２の下面側に設けられた平板状の裁断プレート３と、裁断プレート３の下面側に設けられた平板状の支持部４ａを備える支持部材４と、香座２、裁断プレート３及び支持部材４を内部に配設する椀状の炉体５とを有する。また、本実施形態の線香立て１は、線香の灰を受けて周囲への灰の飛散を防止する灰受け部材６を備える。
【００１６】
香座２は、図３及び図４に示すように、所定径の略円柱状の円柱部２ｂと、円柱部２ｂの上側部分に当該円柱部２ｂの径方向に張り出すように設けられた張り出し部２ｃとを備える。そして、上方から線香を挿入し、挿入した線香を立てた状態で支持するための複数の支持用貫通孔２ａが、香座２を貫通して設けられている。なお、本実施形態の香座２には、薫香用の線香（香りを楽しむ通常よりも短い線香）を挿入して支持するための支持用貫通孔２ｄも設けられている。また、張り出し部２ｃの下方の円柱部２ｂの側面部分には、雄ねじが形成されており、香座２は、この雄ねじと後述する灰受け部材６の香座支持部６ｃの雌ねじとの螺合により、炉体５内に支持されるようになっている（図４参照）。また、香座２の上面は、中央部から外側に向かって下り傾斜して設けられており、支持用貫通孔２ａ，２ｄに挿入されて支持された線香の灰が、この傾斜に沿って外側に向かって落下しやすいようになっている。
【００１７】
そして、このように構成された香座２の下面側に、裁断プレート３及び支持部材４が配設されている。
【００１８】
裁断プレート３は、香座２の下面側に配されて面方向に回動可能、本実施形態では中央部を回動中心として面方向に回動可能に支持される平板状（円板状）の部材である。そして、図５に示すように、裁断プレート３には、線香を落下させると共に落下した線香を薙いで裁断するための落下裁断用貫通孔３ａが複数設けられている。図５では、回動される前の裁断プレート３における香座２の支持用貫通孔２ａ，２ｄの位置を、裁断プレート３に投影して示している。各落下裁断用貫通孔３ａは、香座２の各支持用貫通孔２ａ，２ｄにそれぞれ対応して設けられている。具体的には、本実施形態では、落下裁断用貫通孔３ａは、各支持用貫通孔２ａ，２ｄの位置関係と同じ位置関係で、支持用貫通孔２ａ，２ｄと同数設けられている。そして、裁断プレート３は、回動される前の状態において、回動中心を基準に、落下裁断用貫通孔３ａが、各支持用貫通孔２ａ，２ｄから裁断プレート３の回動方向（本実施形態では中央部を回動中心として右回り）とは反対の回動方向へ所定角度ずれた状態で配設されている。上述のように構成された裁断プレート３は、回動される前は各落下裁断用貫通孔３ａが各支持用貫通孔２ａ，２ｄと重なっておらず、回動されることで各落下裁断用貫通孔３ａがほぼ同じタイミングで各支持用貫通孔２ａ，２ｄと重なる。
【００１９】
支持部材４は、裁断プレート３側に設けられた円柱状の小径部４ｂと、小径部４ｂの下方に連続して設けられた平板状（円板状）の支持部４ａとで構成されている。支持部４ａは、裁断プレート３で線香を薙いで裁断する際に線香の下端を支持する。本実施形態の支持部４ａは、上面が中央部から外側に向かって下り傾斜して設けられており、線香が落下しやすいようになっている。
【００２０】
これら裁断プレート３及び支持部材４は、ネジ７によって、香座２の下面側に支持されている。ネジ７は先端部にのみ雄ねじが形成されたネジであって、先端の雄ねじ部７ａが香座２に設けられた雌ねじ部２ｅに係合されることで、香座２の下方に固定されている。そして、支持部材４は、ネジ７によって中央部を貫通されており、ネジ頭部７ｂによって落下しないように支持されている。また、裁断プレート３は、中央部に設けられた貫通孔３ｂ（図５参照）をネジ７に挿通されて、支持部材４の小径部４ｂによって支持されている。このような構成により、裁断プレート３は、香座２の下面側に、ネジ７を回動中心、すなわち中央部を回動中心として面方向に回動可能に支持されている。また、支持部材４も裁断プレート３の下面側に、ネジ７を回動中心として回動可能に支持されている。これにより、支持部４ａは、ネジ７回りに回動可能に支持されている。
【００２１】
そして、裁断プレート３及び支持部材４の外周部分には、往復タッチ棒８が２本設けられている。往復タッチ棒８は棒状の部材であって、図３に示すように、下側部分が裁断プレート３の外周部に設けられた貫通孔３ｃ（図５参照）を挿通し、支持部材４の外周部を貫通して設けられている。これにより、裁断プレート３及び支持部材４は連結されている。また、往復タッチ棒８の上側部分は、図２及び図３に示すように、香座２の長孔２ｆに貫装されている。この長孔２ｆは、香座２の張り出し部２ｃを貫通して設けられており、その長さは、裁断プレート３の回動距離に応じて設けられている。すなわち長孔２ｆは、往復タッチ棒８の移動を案内するガイドとして機能する。このように設けられた往復タッチ棒８を移動させることで、裁断プレート３及び支持部材４は、ネジ７を回動中心として同時に且つ同一回動方向に回動する。
【００２２】
上述したように、裁断プレート３及び支持部材４と一体化された香座２は、線香の灰を受ける灰受け部材６に支持されて、炉体５内に配設される。
【００２３】
図６は、本実施形態の線香立ての灰受け部材の平面図であり、図７は、図６のＣ−Ｃ´断面図である。
【００２４】
灰受け部材６は、香座２の支持用貫通孔２ａ，２ｄに立てた線香の灰が周囲に飛散するのを防止する部材であり、図示するように、小径部６ａと、小径部６ａの上側に設けられ上方に向かって径が漸大するように設けられた灰受け部６ｂとを備える。この灰受け部６ｂの開口径は、炉体５の開口径よりも大きく設けられている。これにより、線香の灰が周囲へ飛散しにくくなっている。
【００２５】
そして、小径部６ａの内面部分には、香座２を支持する香座支持部６ｃが設けられている。香座支持部６ｃは、小径部６ａの内面部分の雌ねじが形成された部分であって、香座２の円柱部２ｂの雄ねじと係合することで、香座２が支持される（図４参照）。そして、香座支持部６ｃに連続して、灰及び線香の燃えかすを落下させる２つの第１の灰落とし孔６ｄが連続して設けられている。この第１の灰落とし孔６ｄは、香座２の張り出し部２ｃに設けられた長孔２ｆよりも大きく形成されており、第１の灰落とし孔６ｄに長孔２ｆが対向するように、香座２は灰受け部材６に固定される。これにより、往復タッチ棒８は、この第１の灰落とし孔６ｄ内で移動可能に設けられる。なお、本実施形態では、灰及び線香の燃えかすを落下させる第２の灰落とし孔６ｅも形成されており、より良好に灰及び線香の燃えかすが落下するように構成されている。
【００２６】
また、灰受け部材６の小径部６ａの往復タッチ棒８に対応する部分には、一部が切り欠かれることで形成された切り欠き部６ｆが設けられており、この切り欠き部６ｆの内面部分には、ビス９が設けられている。そして、このビス９には、弾性部材であるバネ１０の一端が係合されており、他端は上述した往復タッチ棒８に係合されている。これにより、往復タッチ棒８は、香座２の長孔２ｆに沿って移動させた後、移動させるために付与した力を除去することで、バネ１０の復元力によって急激に回動前の位置に戻るように構成されている。これにより、支持部４ａの上面から落下せずに残存してしまった線香の燃えかすに対して急激に遠心力が付与され、確実に支持部４ａから線香の燃えかすをふるい落とすことができる。なお、これらビス９及びバネ１０は、図３及び図４には示していない。このように構成された灰受け部材６に、一体となった香座２、裁断プレート３及び支持部材４が支持されている。そして、灰受け部材６の小径部６ａが炉体５の開口部に挿入されることで、香座２、裁断プレート３及び支持部材４が炉体５内に配設されている。
【００２７】
炉体５は、灰及び線香の燃えかすを堆積させるための容器であり、上述したように椀状の形状をしている。そして、香座２、裁断プレート３及び支持部材４がその内部に配設されている。なお、本実施形態は、香座２の全てが炉体５の内部に配設されてはおらず、一部が炉体５内に配設されている構成である。
【００２８】
炉体５の正面には、家紋、宗紋等を表す掲紋１１が設けられている（図１及び図４参照）。また、炉体５の底部には、三本の支持脚５ａ，５ｂ，５ｃが設けられている。この支持脚５ａ，５ｂ，５ｃは、周方向に等間隔に設けられており、そのうちの一本である支持脚５ａが正面に位置するように、且つ正面に位置する支持脚５ａが他の２本の支持脚５ｂ，５ｃよりも短く設けられている。これにより、図８に示すように、香座２の支持用貫通孔２ａに立てた線香が、正面側（図８の左側）に傾斜するように構成されている。この傾斜角度は、立てた線香を側方から見て、線香の傾斜が目立たない程度であれば特に限定されない。例えば、線香が１〜５°程度であればよい。また、炉体５の底面には、灰及び線香の燃えかすを排出する排出用貫通孔５ｄが設けられている（図３及び図４参照）。この排出用貫通孔５ｄは灰及び線香の燃えかすを排出する場合以外は、栓部材１２で塞がれている。なお、栓部材１２は弾性ゴムやコルクなどで好適に構成することができる。
【００２９】
上述したように構成された線香立て１では、香座２の支持用貫通孔２ａ，２ｄに、線香を上方から挿入して使用される。この際、落下裁断用貫通孔３ａと支持用貫通孔２ａ，２ｄとは重なっておらず、線香の下端は、裁断プレート３の上面で支持される。そして線香が燃えることにより生じる灰は、香座２の上面の傾斜に沿って香座２の外側まで移動し、灰受け部材６の第１の灰落とし孔６ｄや第２の灰落とし孔６ｅ等から落下して、炉体５内に堆積される。やがて、線香の燃焼している部分が支持用貫通孔２ａ内に至ると、周囲から供給される酸素の量が減少し、線香は火が消える。そして火が消えた状態で、２本の往復タッチ棒８を指で挟み込み、両者を回動させることで裁断プレート３を回動させ、支持用貫通孔２ａと落下裁断用貫通孔３ａとを重ね、支持用貫通孔２ａ内に存在する線香の燃えかすを落下裁断用貫通孔３ａから落下させる。落下裁断用貫通孔３ａから落下した線香の燃えかすは、裁断プレート３の下方に設けられた支持部材４の支持部４ａにより確実に支持される。そして、さらに裁断プレート３を回動させることで、支持部４ａで下端が支持された状態において、落下裁断用貫通孔３ａの縁部で線香の燃えかすを裁断する。裁断された線香の燃えかすは、支持部４ａから炉体５内に落下・堆積される。また、往復タッチ棒８に付与した力を除去することで、バネ１０の弾性力により、往復タッチ棒８が回動する前の位置にまで戻され、裁断プレート３及び支持部材４は、落下裁断用貫通孔３ａが支持用貫通孔２ａ，２ｄと重なっていない回動前の状態にまで戻される。
【００３０】
ここで、このように構成された本実施形態の線香立て１では、香座２の下面と支持部材４の支持部４ａとの距離Ｄ（図３参照）が、香座２の上面と裁断プレート３との距離Ｅよりも短く設けられているのが好ましい。線香の火が消えた後に、裁断プレート３を回動させて線香の燃えかすを支持部４ａ上に落下させると、支持用貫通孔２ａ内に線香の燃えかすの一部が残存している状態になり、線香の燃えかすを安定して支持し、確実に裁断できるからである。本実施形態でも、香座２の下面と支持部材４の支持部４ａとの距離Ｄが、香座２の上面と裁断プレート３との距離Ｅよりも短く設けられている。
【００３１】
以上説明した本実施形態の線香立て１によれば、香座２に設けられた支持用貫通孔２ａ，２ｄに線香を挿入することによって、灰を用いることなく線香を立てることができる。これにより、灰を用いた線香立てで生じていた、線香の折れ、倒れ等や、周辺の畳を汚してしまうことを確実に防止することができる。勿論、燃えかすが混入している線香立ての灰をふるいにかけて灰から燃えかすを分離し、その後、再度灰のみを線香立てに戻すという煩雑な作業も行わずに済む。
【００３２】
さらに本実施形態の線香立て１によれば、線香の燃えかすは、裁断プレート３の回動によって落下裁断用貫通孔３ａから自重で下方に落下し、支持部材４の支持部４ａにより下端が支持された状態で落下裁断用貫通孔３ａの縁部により裁断される。すなわち、支持部材４の支持部４ａと裁断プレート３とにより、炉体５の形状や大きさに依らず、所望する長さに線香の燃えかすを裁断することができる。この結果、線香の燃えかすは、裁断された細かい状態で炉体５内に堆積される。したがって、本発明の線香立て１によれば、炉体５内の空間を、灰及び線香の燃えかすを堆積させることに有効に利用することができ、灰及び線香の燃えかすを廃棄する頻度を可及的に少なくすることができる。
【００３３】
また、本実施形態では、香座２の下面と支持部材４の支持部４ａとの距離Ｄは、香座２の上面と裁断プレート３との距離Ｅよりも短く設けられている。これにより、線香の火が消えた後に、裁断プレート３を回動させて線香の燃えかすを支持部４ａ上に落下させると、支持用貫通孔２ａ内に線香の燃えかすの一部が残存している状態になる。したがって、線香の燃えかすは裁断される際に上部と下部とが支持され確実に裁断される。
【００３４】
また、本実施形態の線香立て１は、支持部材４の支持部４ａの上面が中央部から外側に向かって下り傾斜して設けられている。これにより、裁断された線香の燃えかすは、支持部４ａの外側に向かって移動する。すなわち、本実施形態によれば、特に線香立て１を揺する等しなくとも、支持部４ａ上の裁断された線香の燃えかすを炉体５内に落下させやすいという効果を奏する。
【００３５】
また、本実施形態の線香立て１は、支持部材４が回動可能に構成されている。これにより、裁断された線香の燃えかすは遠心力を受けて、支持部４ａの外側に向かって移動する。すなわち、本実施形態によれば、特に線香立て１を揺する等しなくとも、支持部４ａ上の裁断された線香の燃えかすを確実に炉体５内に落下させることができる。
【００３６】
また、本実施形態の線香立て１は、炉体５の支持脚５ａ，５ｂ，５ｃのうち正面側の一本である支持脚５ａが他の二本よりも短く形成されている。これにより、本実施形態の線香立て１では、どのような方向から線香を挿入したとしても、図８に示すように、線香が正面側に倒れかかる。図示はしないが、当然、この状態を正面から見ると、線香が鉛直方向にまっすぐ線香が立っているように見える。すなわち、本実施形態の線香立て１によれば、人間が特別に注意を払って鉛直方向にまっすぐ線香を立てるようにしなくとも、鉛直方向にまっすぐ線香を立てることができ、美観が非常によい。
【００３７】
以上、本発明の一実施形態に係る線香立てを説明したが、本発明は上述した実施形態に限定されるものではない。
【００３８】
例えば、上述した実施形態では、裁断プレート３の回動中心が裁断プレート３の中央部であったが、裁断プレート３が面方向に回動するのであれば、回動中心は裁断プレート３の端に設けられていてもよい。何れにしても、裁断プレート３の面方向の回動によって、落下裁断用貫通孔３ａで線香を薙いで裁断するような構成であればよい。
【００３９】
また、上述した実施形態では、落下裁断用貫通孔３ａは、それぞれが各支持用貫通孔２ａ，２ｄの位置関係と同じ位置関係で且つ、各支持用貫通孔２ａ，２ｄと同数設けられていた。そして、裁断プレート３は、回動される前の状態において、回動中心を基準に、落下裁断用貫通孔３ａが、各支持用貫通孔２ａ，２ｄから裁断プレート３の回動方向（本実施形態では中央部を回動中心として右回り）とは反対の回動方向へ所定角度ずれた状態で配設されていた。
【００４０】
しかしながら、本発明は、このような構成に限定されず、例えば、図９に示す裁断プレート３Ａのように、各落下裁断用貫通孔３ａの位置関係を、各支持用貫通孔２ａ，２ｄの位置関係と異なるように設けてもよい。図９は、本発明に係る裁断プレートの他の例を示す平面図である。図９に示す裁断プレート３Ａでは、図５に示す裁断プレート３と比較して、落下裁断用貫通孔３ａのうち１つを除く全てが、回動中心を基準に、裁断プレート３の回動方向に異なる角度ずつずらして設けている。このように各落下裁断用貫通孔３ａが設けられた裁断プレート３Ａを使用すると、裁断プレート３Ａを一方向に回動させた際、落下裁断用貫通孔３ａは、それぞれ異なるタイミングで、各支持用貫通孔２ａ，２ｄに重なる。これにより、裁断プレート３を回動させた場合に、線香の燃え残りを裁断するタイミングもそれぞれ異なる。したがってこのような構成の裁断プレート３を使用すれば、裁断プレート３を回動させて線香を裁断する際にかかる付加は、線香一本分となり、上述した実施形態よりも楽な力で、線香の燃え残りを裁断することができる。もちろん、裁断プレート３Ａは、落下裁断用貫通孔３ａと支持用貫通孔２ａ，２ｄとが重なるタイミングが全て異なるような構成でなくともよく、落下裁断用貫通孔３ａと支持用貫通孔２ａ，２ｄとが、同じタイミングで数個が重なるような構成であってもよい。
【００４１】
また、上述した実施形態では、各落下裁断用貫通孔３ａと各支持用貫通孔２ａ，２ｄとが同数設けられており、１つの支持用貫通孔２ａ，２ｄに重なる落下裁断用貫通孔３ａは、１つであった。しかしながら、各落下裁断用貫通孔３ａは、香座２の各支持用貫通孔２ａ，２ｄにそれぞれ対応して設けられていればよい。すなわち、裁断プレート３が回動されることで、支持用貫通孔２ａ，２ｄに対して重なるのであれば、１つの支持用貫通孔２ａに重なる落下裁断用貫通孔３ａは２つ以上であってもよい。
【００４２】
また、上述した実施形態では、線香を薙ぐ際に線香の下端を支持する支持部４ａ及び支持部材４が回動可能に設けられており、線香を裁断した後に、炉体５内に線香を簡単且つ確実に落下させることができるという効果を奏していた。しかしながら、多少煩雑ではあるものの炉体５を揺する等すれば、裁断プレート３で裁断した線香は確実に炉体５内に落下させることができるので、支持部４ａ及び支持部材４が回動可能に設けられていなくともよい。同様の理由で、上述した実施形態では、支持部４ａの上面が外側に向かって傾斜して設けられていたが、支持部４ａの上面は外側に向かって傾斜して設けられていなくともよい。
【００４３】
また、上述した実施形態では、炉体５の底部に設けられた支持脚５ａ，５ｂ，５ｃの一本である支持脚５ａが、他の二本よりも短く形成されることで、線香立て１全体が傾斜するように設けられていた。しかしながら、この構成は、どのような方向から線香を挿入しても正面側に線香を倒れさせ、正面から見たときに鉛直方向にまっすぐ線香が立っているように見せることを目的とした構成であるので、例えば、他の二本よりも短い支持脚５ａが、正面に対して反対側に設けられていてもよい。この場合は、線香が正面に対して反対側に倒れかかるが、正面から見たときには鉛直方向にまっすぐ線香が立っているように見え、美観の良さが保たれる。また、線香を正面側、或いは正面とは反対側へ倒れかからせるためには、支持用貫通孔２ａが鉛直方向に対して正面方向、或いは正面とは反対方向に傾斜して設けられていればよい。したがって、支持用貫通孔２ａを予め鉛直方向に対して正面方向、或いは正面とは反対方向に傾斜して設けてもよい。また、支持用貫通孔２ａを鉛直方向に設け、香座２を鉛直方向に対して正面方向、或いは正面とは反対方向に傾斜させるような構成にしてもよい。もちろん、正面から見たときに多少線香が曲がっていることを気にしないのであれば、傾斜していなくともよい。
【００４４】
また、上述した実施形態では、炉体５の底部に、灰及び線香の燃えかすを排出する排出用貫通孔５ｄが設けられていたが、灰及び線香の燃えかすを容易に処理するための構成はこれに限定されるものではなく、例えば、炉体５底部を、灰及び線香の燃えかすを溜める着脱可能な皿状の部材で構成してもよい。また、このような灰を排出するための機構を設けず、灰受け部材６や香座２等を炉体５から取り外して、直接、炉体５の開口部から灰及び線香の燃えかすを排出してもよい。
【産業上の利用可能性】
【００４５】
本発明は、仏具を製造販売する産業分野で利用することができる。
【図面の簡単な説明】
【００４６】
【図１】本発明の一実施形態に係る線香立ての正面図である。
【図２】本発明の一実施形態に係る線香立ての平面図である。
【図３】本発明の一実施形態に係る線香立ての断面図である。
【図４】本発明の一実施形態に係る線香立ての断面図である。
【図５】本発明の一実施形態に係る線香立ての裁断プレートの平面図である。
【図６】本発明の一実施形態に係る線香立ての灰受け部材の平面図である。
【図７】本発明の一実施形態に係る線香立ての灰受け部材の断面図である。
【図８】本発明の一実施形態に係る線香立ての使用状態を示す断面図である。
【図９】本発明に係る裁断プレートの他の例を示す平面図である。
【符号の説明】
【００４７】
１  線香立て
２  香座
２ａ，２ｄ  支持用貫通孔
２ｂ  円柱部
２ｃ  張り出し部
２ｅ  雌ねじ部
２ｆ  長孔
３，３Ａ  裁断プレート
３ａ  落下裁断用貫通孔
３ｂ，３ｃ  貫通孔
４  支持部材
４ａ  支持部
４ｂ  小径部
５  炉体
５ａ，５ｂ，５ｃ  支持脚
５ｄ  排出用貫通孔
６  灰受け部材
６ａ  小径部
６ｂ  灰受け部
６ｃ  香座支持部
６ｄ  第１の灰落とし孔
６ｅ  第２の灰落とし孔
６ｆ  切り欠き部
７  ネジ
７ａ  雄ねじ部
７ｂ  ネジ頭部
８  往復タッチ棒
９  ビス
１０  バネ
１１  掲紋
１２  栓部材
【図１】
2009279271.tif 000003
【図２】
2009279271.tif 000004
【図３】
2009279271.tif 000005
【図４】
2009279271.tif 000006
【図５】
2009279271.tif 000007
【図６】
2009279271.tif 000008
【図７】
2009279271.tif 000009
【図８】
2009279271.tif 000010
【図９】
2009279271.tif 000011